(57)【特許請求の範囲】
【請求項１】
下方に設けたガス室から分散板を介してガスを噴出して原料石炭を乾燥分級する流動層を形成する装置本体を備え、この装置本体に湿炭ホッパーに貯留したコークス炉用原料石炭を装入して原料石炭を乾燥分級するコークス炉用原料石炭の乾燥分級装置において、
前記原料石炭の装入口の直下で前記分散板の上面に前記装置本体の幅方向に延伸する回転軸の表面に複数のピン又は翼を立設してなる、前記上面に装入された原料石炭を回転して拡散する回転翼拡散装置を配設したことを特徴とするコークス炉用原料石炭の乾燥分級装置。
【請求項２】
前記複数のピン又は前記翼は前記回転軸の軸線方向に沿って螺旋形に立設されていることを特徴とする請求項１記載のコークス炉用原料石炭の乾燥分級装置。
【発明の詳細な説明】
【０００１】
【発明の属する技術分野】
本発明は、コークス炉に装入する石炭を乾燥及び分級するために流動層を形成する形式の原料石炭の乾燥分級装置に関するものである。
【０００２】
【従来の技術】
従来より、コークス炉に装入される原料石炭を乾燥し、かつ原料石炭中の微粉を分級して除去するために、流動層を形成することの可能な原料石炭の乾燥分級装置が使用されている。例えば、特開平８−２１９６５５号公報に記載の装置では、分散板に設けられたノズルからガスを噴出して流動層を形成すると共に、そのガスの噴出方向を原料石炭の移送方向で、かつ、斜め上方に向けて設定することにより、原料石炭粒をその移送方向にいわば吹き飛ばして移動させている。
【０００３】
【発明が解決しようとする課題】
ところで、乾燥分級装置において含有水分の多い高含水石炭粉を処理する場合、前記高含水石炭粉が装置本体の装入口付近で凝集してしまい、石炭装入部付近に湿炭が堆積することがある。その場合、特開平８−２１９６５５号公報に記載の装置では、流動層を形成するガスが分散板に設けられたノズルから石炭搬送方向に向けて噴射されているので石炭の装入口付近に十分な強度をもってガスが到達することができない。したがって、前記凝集物はガスによって吹き飛ばされて流動化することなく、そのまま装置本体内に滞留することになる。
【０００４】
そして、上記したような湿炭の堆積物は時間の経過と共に成長して分散板のノズルを閉塞して流動層の流動状態を不安定なものとするおそれがあり、このような状態が続くと最悪の場合には乾燥運転の停止を招くことになる。
【０００５】
本発明は、流動層を用いた原料石炭の乾燥分級装置において、装入口付近の高含水の石炭粉を効率的に原料石炭の搬送方向に拡散させて、装入口付近の凝集物の発生を防止することのできる機構を備えた乾燥分級装置を提供することをその目的とする。
【０００６】
【課題を解決するための手段】
上記した目的は、下方に設けたガス室から分散板を介してガスを噴出して原料石炭を乾燥分級する流動層を形成する装置本体を備え、この装置本体に湿炭ホッパーに貯留したコークス炉用原料石炭を装入して原料石炭を乾燥分級するコークス炉用原料石炭の乾燥分級装置において、前記原料石炭の装入口の直下で前記分散板の上面に前記装置本体の幅方向に延伸する回転軸の表面に複数のピン又は翼を立設してなる、前記上面に装入された原料石炭を回転して拡散する回転翼拡散装置を配設することによって達成される。
【０００７】
前記複数のピン又は前記翼は前記回転軸の軸線方向に沿って螺旋形に立設されていることがより好ましい。
【０００８】
【発明の実施の形態】
以下、図面を参照しつつ、本発明の実施の形態の一例を具体的に説明する。
【０００９】
図１は、本発明の乾燥分級装置の全体構成を示す概略断面図であり、図２は図１の後述する回転翼拡散装置付近の正面透視図である。図１及び図２において、１は乾燥分級前の原料石炭を貯留する湿炭ホッパー、２は所定量の原料石炭を取り出すための切出装置、３は装入口であり、湿炭ホッパー１から切出装置２によって取り出された所定量の原料石炭は装入口３を介して装置本体４に装入される。ここで、装入口３付近の装置本体４の内部が石炭装入部とされる。
【００１０】
装置本体４は略箱体状とされており、前記石炭装入部側とは反対側の端部には乾燥炭排出口１１が形成され、そこには乾燥分級後の石炭を所定量ずつ排出する排出装置１２が取り付けられている。また、装置本体４の天井は、その上端部にはガスと共に微少粒子を排出するための排気管１３が設けられている。
【００１１】
装置本体４の内部には水平方向に分散板５が配設されている。分散板５の上方には流動層が形成される。一方、分散板５の下方はガス室８であり、前記流動層を形成させ、原料石炭を乾燥及び分級するための高温のガスがガス供給管１０を介して導入される。ガス室８は隔壁によって複数の小ガス室に分割されており、各小ガス室にそれぞれ高温ガスが独立して供給される。高温ガスの流量はガス流量調整弁９によって任意の値に、かつ、各小ガス室毎に調整可能とされている。したがって、分散板５上の各箇所に対応して噴出ガスの速度を細かに制御することができる。
【００１２】
分散板５には多数のガス噴射孔が相互に所定の間隔をおいて穿設されており、ガス室８内の高温ガスは前記ガス噴射孔を介して分散板５の上方に向けて噴出するようにされている。図１に示す実施の態様では、前記ガス噴射孔の開口方向は鉛直上方向とされているが、原料石炭の移送方向に向けて傾斜させて穿設してもよい。
【００１３】
前記石炭装入部の分散板５上には、回転翼拡散装置６が配設されている。図示されるように回転翼拡散装置６は、装置本体４を幅方向に貫通するシャフト形状の回転軸６ａの表面に複数のピン６ｂを突設した構造を有している。したがって、回転翼拡散装置６を回転させることにより、石炭装入部に装入された石炭は回転翼拡散装置６によって原料石炭搬送方向へ送り出される。なお、図示される実施の形態においては、ピン６ｂは回転軸６ａの軸線方向に沿って螺旋形となるようにその表面に配列されているので、回転翼拡散装置６は石炭装入部に装入された石炭を原料石炭搬送方向へ送り出すだけでなく、装置本体４の幅方向に移送する作用を備えている。したがって、装置本体４内に装入された石炭はその幅方向へ均一に分散され、偏在することない。
【００１４】
回転翼拡散装置６の回転軸６ａの両端部は装置本体４の側壁の所定箇所から装置外部へ突出しており、回転軸６ａの両端部は軸受１４により回転自在に支承されている。そして、図示される実施の形態では、回転軸６ａに駆動装置７からの回転駆動力がエンドレスベルトを介して伝達されており、図示しない制御装置の指令により駆動装置７の作動を制御することにより回転翼拡散装置６の回転を制御可能とされている。なお、前記したエンドレスベルトに代えて歯車機構等の公知の動力伝達機構を採用してもよいことは勿論である。
【００１５】
次に、本発明の乾燥分級装置の使用態様について説明する。
【００１６】
乾燥分級装置の稼働時には、ガス流量調整弁９によって所定の流量に調整された約４００℃の高温ガスがガス供給管１０を介してガス室８内に供給される。そして、ガス室８内に導入された加圧ガスは分散板５のガス噴射孔を通って分散板５の上方に噴出する。
【００１７】
一方、湿炭ホッパー１内の未乾燥未分級の原料石炭は切出装置２によって所定量ずつ装入口３を介して装置本体４内に供給される。したがって、原料石炭は装置本体４内において高温ガスによって撹拌されて流動層を形成し、高温ガスの有する熱により乾燥されると共に、原料石炭中の微粒子は排気ガスと共に排気管１３から排出され、中程度の粒径を有する粒子は流動化されつつ排気管１２からのガスの吸引作用等により移送方向へ移動する。このようにして原料石炭の分級が行われる。具体的には、流動層の温度は約７０〜８０℃に維持される。
【００１８】
ところで、湿炭ホッパー１内の原料石炭のうち高含水状態の石炭粒子は特に石炭装入口付近で凝集して堆積する傾向があるが、本発明の乾燥分級装置では、駆動装置７を駆動させて回転軸６ａを回転させることにより回転翼拡散装置６を回転駆動させ、回転するピン６ｂによって高含水石炭粒子を石炭搬送方向へ強制的に移動させて流動層内に送り込むようにしている。したがって、石炭装入部上の分散板５に石炭粒子が凝集・堆積することがない。
【００１９】
そして、回転翼拡散装置６のピン６ｂが回転軸６ａの軸線方向に沿って螺旋形となるようにその表面に配列されている場合には、石炭装入部に装入された石炭は装置本体４の幅方向に移送されつつ石炭搬送方向へ送り出されるので、石炭装入部の石炭粉の堆積防止効果が高い。
【００２０】
なお、上記した実施の態様では、回転翼拡散装置６は回転軸６ａ上に独立したピン６ａが多数配設された構造とされているが、石炭装入部での石炭粉の凝集・堆積を防止できるものであれば回転翼拡散装置６の形状は特に限定されるものではない。例えば、回転翼拡散装置６は回転軸６ａの表面上に連続した翼が一又は複数条立設する構造であってもよく、また、その翼は回転軸６ａの軸線方向に沿って螺旋形状とされていてもよい。
【００２１】
【発明の効果】
本発明では以下の効果を奏する。
【００２２】
（１）高含水状態の石炭粉を処理する場合であっても、石炭装入部付近に石炭粉が凝集・堆積することがない。したがって、装入口から装入された原料石炭は全て流動層に供給され、被処理物である原料石炭を全て同一の条件で乾燥及び分級することが可能となるので、一部の石炭粉に乾燥不足や未分級の状態が発生することがない。
【００２３】
（２）分散板上のガス噴出孔が石炭の堆積によって閉塞されることがないので、流動性が向上し、乾燥及び分級効率が向上する。また、乾燥分級装置の連続運転を確保することができる。
【００２４】
（３）複数のピン又は翼を回転軸の軸線方向に沿って螺旋形に立設した形状の回転翼拡散装置を使用した場合には、石炭装入部に装入された石炭は装置本体の幅方向に分散されるので、石炭装入部での凝集・堆積をより確実に防止することができる。また、より均一な流動層を形成することも可能となる。
【図面の簡単な説明】
【図１】  本発明の乾燥分級装置の全体構成を示す概略断面図。
【図２】  図１の回転翼拡散装置付近の正面透視図。
【符号の説明】
１    湿炭ホッパー                ８    ガス室
２    切出装置                    ９  ガス流量調節弁
３    装入口                      １０  ガス供給管
４    装置本体                    １１  乾燥炭排出口
５    分散板                      １２  排出装置
６    回転翼拡散装置              １３  排出管
７    駆動装置                    １４  軸受
【図１】
0004113276.tif 000002
【図２】
0004113276.tif 000003